(57)【要約】      （修正有）【課題】複数の機能を持ち、展示キャビネット本体を開いた状態でも場所を取ることのないワインキャビネットを提供する。【解決手段】ワインキャビネットは、主キャビネット本体１０を備え、主キャビネット本体の上端に配置された透明な展示キャビネット本体３０と、制御機構と、制御機構に結合された駆動機構と、駆動機構に結合された自動昇降摺動機構８０とをさらに備え、展示キャビネット本体の展示箱３３は積層板によって主キャビネット本体の貯蔵箱１１から分離され、制御機構、駆動機構、および自動昇降摺動機構は貯蔵箱内に配置され、展示キャビネット本体の上端の面に開口が配置され、開口は透明な可動カバー板で覆われ、自動昇降摺動機構は可動カバー板に結合され、自動昇降摺動機構は、駆動機構によって貯蔵箱内で移動するように駆動されることができ、かつ可動カバー板を駆動して、展示キャビネット本体の開口を開閉するように移動させることができる。【選択図】図４
0003226592.tif 000002
【実用新案登録請求の範囲】
【請求項１】
ワインキャビネットであって、主キャビネット本体を備え、前記主キャビネット本体の上端に配置された透明な展示キャビネット本体と、制御機構と、前記制御機構に結合された駆動機構と、前記駆動機構に結合された自動昇降摺動機構とをさらに備え、前記展示キャビネット本体の展示箱が積層板によって前記主キャビネット本体の貯蔵箱から分離されており、前記制御機構、前記駆動機構、および前記自動昇降摺動機構が前記貯蔵箱内に配置されており、前記展示キャビネット本体の前記上端の面に開口が配置されており、前記開口が透明な可動カバー板で覆われており、前記自動昇降摺動機構が前記可動カバー板に結合されており、前記自動昇降摺動機構が、前記駆動機構によって前記貯蔵箱内で移動するように駆動されることができ、かつ前記可動カバー板を駆動して、前記展示キャビネット本体の前記開口を開閉するように移動させることができる、ワインキャビネット。
【請求項２】
前記自動昇降摺動機構が、前記貯蔵箱の２つの対向する内壁に取り付けられた２つの取付部品と、枠と、２対の駆動ギヤセットと、軸受と、主ギヤとを備え、
前記取付部品の各々が、上下にずらして配置された２本のＬ字型レールを備え、前記２本のＬ字型レールが互いに平行であって前記展示キャビネット本体の前記開口に対応しており、
前記枠が、２つの固定部品、および前記２つの固定部品同士の間に結合された取付板を備え、前記駆動機構が前記取付板に配置されており、
前記駆動ギヤセットの各対が第１のギヤおよび第２のギヤを含み、前記第１のギヤおよび前記第２のギヤがベルトによって駆動され、前記駆動ギヤセットの各対の前記第１のギヤおよび前記第２のギヤが１つの固定部品に配置されており、前記第１のギヤおよび前記第２のギヤが、１つの取付部品の前記２本のＬ字型レールとそれぞれ噛み合っており、前記第１のギヤおよび前記第２のギヤが、対応する前記Ｌ字型レール上でそれぞれ移動することができ、
前記軸受の一端が前記駆動ギヤセットの一方の対の前記第１のギヤに固定されており、他端が前記駆動ギヤセットの他方の対の前記第１のギヤに固定されており、
前記主ギヤが前記軸受に固定的に通されており、前記主ギヤおよび前記駆動機構の駆動ギヤがベルトによって駆動される、
請求項１に記載のワインキャビネット。
【請求項３】
前記自動昇降摺動機構が、２つの結合部品をさらに備え、前記２つの結合部品の一端が前記２つの固定部品の上端にそれぞれ配置されており、前記２つの結合部品の他端が前記可動カバー板の下端にそれぞれ配置されており、前記第１のギヤおよび前記第２のギヤが、対応する前記Ｌ字型レールの垂直方向部分の端位置から、対応する前記Ｌ字型レールの横方向部分の端位置までそれぞれ移動されると、前記可動カバー板が前記２つの結合部品によって駆動され、上昇して前記展示キャビネット本体の前記上端の面に沿って前記開口から離れる方向に移動することで、前記可動カバー板が前記開口から離れて前記展示キャビネット本体の前記開口を開き、前記第１のギヤおよび前記第２のギヤが、対応する前記Ｌ字型レールの前記横方向部分の前記端位置から、対応する前記Ｌ字型レールの前記垂直方向部分の前記端位置までそれぞれ移動されると、前記２つの結合部品によって前記可動カバー板が駆動され、前記展示キャビネット本体の前記上端の面に沿って前記開口に近づく方向に移動して下降することで、前記可動カバー板が前記開口を覆って前記展示キャビネット本体の前記開口を閉じる、
請求項２に記載のワインキャビネット。
【請求項４】
前記ワインキャビネットが、前記貯蔵箱の前記２つの対向する内壁に配置された２つのばね組立体をさらに備え、前記２つのばね組立体が、前記２つの取付部品の前記Ｌ字型レールの前記垂直方向部分の下方にそれぞれ配置されており、前記ばね組立体が、前記貯蔵箱の対応する前記内壁に取り付けられた支持板と、前記支持板に取り付けられた支柱と、前記支柱に取り付けられた取付枠部品と、前記支柱において前記支持板から離れた端部に回転可能に取り付けられた支持部品と、弾性部品であって、前記弾性部品の一端が前記支持部品の一端に結合され、前記弾性部品の他端が前記取付枠部品に結合される、弾性部品と、を備え、前記支持部品が、前記支柱と前記貯蔵箱の対応する前記内壁との間に配置されており、載置部品が、前記支持部品の回転位置を制限するために、前記支柱において前記支持部品の下方にある位置に配置されており、前記固定部品において前記主キャビネット本体の前側に近接する側壁が傾斜壁であり、前記第１のギヤおよび前記第２のギヤが、対応する前記Ｌ字型レールの前記横方向部分の前記端位置から、対応する前記Ｌ字型レールの前記垂直方向部分の前記端位置までそれぞれ移動されると、前記固定部品の傾斜した前記側壁が、対応する前記支持部品に載置され、前記支持部品が、対応する前記載置部品に当接する、請求項３に記載のワインキャビネット。
【請求項５】
前記積層板の両側に収容空間がそれぞれ設けられており、前記２つの結合部品が、対応する前記収容空間内にそれぞれ配置されている、請求項３に記載のワインキャビネット。
【請求項６】
前記第１のギヤおよび前記第２のギヤがそれぞれ、対応する前記Ｌ字型レールの下部にある歯と噛み合っている、請求項２に記載のワインキャビネット。
【請求項７】
前記駆動機構がモータであり、前記制御機構が制御ユニット、および前記制御ユニットに結合された検知ユニットを備え、前記モータが前記制御ユニットに結合されており、前記検知ユニットが、前記モータのトルクを検知し前記制御ユニットに前記トルクを出力するのに使用され、前記制御ユニットが、受けた前記モータの前記トルクを事前設定したトルクと比較するのに使用され、前記可動カバー板が、前記展示キャビネット本体の前記開口を開くように移動されるときに、前記モータの前記トルクが事前設定したトルクを超えている場合は、前記制御ユニットが、回転を停止するように前記モータを制御することで、前記自動昇降摺動機構が、前記可動カバー板の移動を駆動することを停止し、前記可動カバー板が、前記展示キャビネット本体の前記開口を閉じるように移動されるときに、前記モータの前記トルクが前記事前設定したトルクを超えている場合は、前記制御ユニットが、逆に回転するように前記モータを制御することで、前記展示キャビネット本体の前記開口が開いた状態になるように前記可動カバー板を戻すために、前記自動昇降摺動機構が逆向きに移動するよう駆動される、請求項１に記載のワインキャビネット。
【請求項８】
前記結合部品がＬ字型であり、互いに結合された第１の結合部品と第２の結合部品とを含み、前記第１の結合部品が、対応する前記固定部品の前記上端に配置されており、前記第２の結合部品が、前記可動カバー板の前記下端に配置されている、請求項３に記載のワインキャビネット。
【請求項９】
前記展示キャビネット本体が単層ガラスで作成されており、前記可動カバー板が二層発熱線ガラスで作成されており、前記単層ガラスおよび前記二層発熱線ガラスの厚さが両方とも６ｍｍ〜８ｍｍである、請求項１に記載のワインキャビネット。
【請求項１０】
第１のワインラックが前記貯蔵箱内に配置されており、前記自動昇降摺動機構が前記第１のワインラックと前記積層板との間に配置されており、前記第１のワインラックが複数の貯蔵領域を有する、請求項１に記載のワインキャビネット。
【請求項１１】
第２のワインラックが前記展示箱内に配置されており、前記第２のワインラックが傾斜して前記積層板に配置されており、前記第２のワインラックが複数の載置位置を有する、請求項１に記載のワインキャビネット。
【請求項１２】
外部制御装置をさらに備え、前記外部制御装置がリモートコントローラであり、前記制御機構が制御ユニットを備え、前記リモートコントローラが前記制御ユニットに無線で接続される、請求項１に記載のワインキャビネット。
【請求項１３】
外部制御装置をさらに備え、前記外部制御装置がインテリジェント端末であり、前記制御機構が制御ユニットを備え、前記インテリジェント端末が制御モジュールを備え、前記制御モジュールが前記制御ユニットに無線で接続される、請求項１に記載のワインキャビネット。
【請求項１４】
前記主キャビネット本体の前側に左キャビネット扉および右キャビネット扉が設けられており、前記左キャビネット扉の上部および前記右キャビネット扉の上部に互いに近接した取っ手が設けられている、請求項１に記載のワインキャビネット。
【請求項１５】
前記主キャビネット本体の前記前側に、前記左キャビネット扉および前記右キャビネット扉の下方に位置するルーバ構造が設けられている、請求項１４に記載のワインキャビネット。
【請求項１６】
前記展示キャビネット本体の後部側壁に取付板が設けられており、前記取付板の上部に第１の光ストライプが設けられており、前記第１の光ストライプが前記制御機構に結合されている、請求項１に記載のワインキャビネット。
【請求項１７】
前記第２の結合部品の下端に第２の光ストライプが設けられており、前記第２の光ストライプが前記制御機構に結合されている、請求項８に記載のワインキャビネット。
【請求項１８】
前記可動カバー板の長さが前記展示キャビネット本体の長さと等しく、前記可動カバー板の幅が前記展示キャビネット本体の半分の幅である、請求項１に記載のワインキャビネット。
【考案の詳細な説明】
【技術分野】
【０００１】
本考案は、ワインキャビネットに関する。
【背景技術】
【０００２】
既存のワインキャビネットは、一般にワインを載置するためのキャビネット本体のみを有し、使用者にとって大切な愛着のあるワインを装飾用に展示するためのキャビネット本体は有していないため、使用目的が１つのみで使用者の利用要求に応えることができない。
【０００３】
一部のワインキャビネットは、使用者にとって大切な愛着のあるワインを装飾用に展示できるキャビネット本体を有しているものの、このようなワインキャビネットの大部分はワインを取り出すために開放される扉が設けられており、この形式では置く場所が限定され、また場所を取る。
【考案の概要】
【考案が解決しようとする課題】
【０００４】
本考案は、上述の技術の欠点を克服することを意図し、複数の機能を持ち、展示キャビネット本体を開いた状態でも場所を取ることのないワインキャビネットを提供する。
【課題を解決するための手段】
【０００５】
本考案はワインキャビネットを提供し、ワインキャビネットは、主キャビネット本体を備え、主キャビネット本体の上端に配置された透明な展示キャビネット本体と、制御機構と、制御機構に結合された駆動機構と、駆動機構に結合された自動昇降摺動機構とをさらに備え、展示キャビネット本体の展示箱は積層板によって主キャビネット本体の貯蔵箱から分離され、制御機構、駆動機構、および自動昇降摺動機構は貯蔵箱内に配置され、展示キャビネット本体の上端の面に開口が配置され、開口は透明な可動カバー板で覆われ、自動昇降摺動機構は可動カバー板に結合され、自動昇降摺動機構は、駆動機構によって貯蔵箱内で移動するように駆動でき、かつ可動カバー板を駆動して、展示キャビネット本体の開口を開閉するように移動させることができる。
【０００６】
また、自動昇降摺動機構は、貯蔵箱の２つの対向する内壁に取り付けられた２つの取付部品と、枠と、２対の駆動ギヤセットと、軸受と、主ギヤとを備え、
各取付部品が、上下にずらして配置された２本のＬ字型レールを備え、２本のＬ字型レールは互いに平行であって展示キャビネット本体の開口に対応し、
枠は、２つの固定部品、および２つの固定部品同士の間に結合された取付板を備え、取付板に駆動機構が配置され、
駆動ギヤセットの各対が第１のギヤおよび第２のギヤを含み、第１のギヤおよび第２のギヤがベルトによって駆動され、駆動ギヤセットの各対の第１のギヤおよび第２のギヤが１つの固定部品に配置され、第１のギヤおよび第２のギヤが、１つの取付部品の２本のＬ字型レールとそれぞれ噛み合い、第１のギヤおよび第２のギヤが、対応するＬ字型レール上でそれぞれ移動することができ、
軸受の一端が駆動ギヤセットの一方の対の第１のギヤに固定され、他端が駆動ギヤセットの他方の対の第１のギヤに固定され、
主ギヤが軸受に固定的に通され、主ギヤおよび駆動機構の駆動ギヤはベルトによって駆動される。
【０００７】
また、自動昇降摺動機構は２つの結合部品をさらに備え、２つの結合部品の一端が２つの固定部品の上端にそれぞれ配置され、２つの結合部品の他端が可動カバー板の下端にそれぞれ配置され、第１のギヤおよび第２のギヤが、対応するＬ字型レールの垂直方向部分の端位置から、対応するＬ字型レールの横方向部分の端位置までそれぞれ移動されると、２つの結合部品によって可動カバー板が駆動され、上昇して展示キャビネット本体の上端の面に沿って開口から離れる方向に移動することで、可動カバー板が開口から離れて展示キャビネット本体を開き、第１のギヤおよび第２のギヤが、対応するＬ字型レールの横方向部分の端位置から、対応するＬ字型レールの垂直方向部分の端位置までそれぞれ移動されると、２つの結合部品によって可動カバー板が駆動され、展示キャビネット本体の上端の面に沿って開口に近づく方向に移動して下降することで、可動カバー板が開口を覆って展示キャビネット本体の開口を閉じる。
【０００８】
また、ワインキャビネットは、貯蔵箱の２つの対向する内壁に配置された２つのばね組立体をさらに備え、２つのばね組立体は、２つの取付部品の、Ｌ字型レールの垂直方向部分の下方にそれぞれ配置され、ばね組立体は、貯蔵箱の対応する内壁に取り付けられた支持板と、支持板に取り付けられた支柱と、支柱に取り付けられた取付枠部品と、支柱において支持板から離れた端部に回転可能に取り付けられた支持部品と、弾性部品であって、弾性部品の一端は支持部品の一端に結合され、弾性部品の他端は取付枠部品に結合される、弾性部品とを備え、支持部品が、支柱と、貯蔵箱の対応する内壁との間に配置され、載置部品が、支持部品の回転位置を制限するために、支柱において支持部品の下方にある位置に配置され、かつ固定部品において主キャビネット本体の前側に近接する側壁が傾斜壁であり、第１のギヤおよび第２のギヤが、対応するＬ字型レールの横方向部分の端位置から、対応するＬ字型レールの垂直方向部分の端位置までそれぞれ移動されると、固定部品の傾斜した側壁が対応する支持部品に載置され、支持部品が対応する載置部品に当接する。
【０００９】
また、積層板の両側に収容空間がそれぞれ設けられ、２つの結合部品は、対応する収容空間内にそれぞれ配置される。
【００１０】
また、第１のギヤおよび第２のギヤはそれぞれ、対応するＬ字型レールの下部にある歯と噛み合う。
【００１１】
また、駆動機構はモータであり、制御機構が制御ユニット、および制御ユニットに結合された検知ユニットを備え、モータが制御ユニットに結合され、検知ユニットが、モータのトルクを検知し制御ユニットにトルクを出力するのに使用され、制御ユニットが、受けたモータのトルクを事前設定したトルクと比較するのに使用され、可動カバー板が、展示キャビネット本体の開口を開くように移動されるときに、モータのトルクが事前設定したトルクを超えている場合は、制御ユニットが、回転を停止するようにモータを制御することで、自動昇降摺動機構が、可動カバー板の移動を駆動することを停止し、可動カバー板が、展示キャビネット本体の開口を閉じるように移動されるときに、モータのトルクが事前設定したトルクを超えている場合は、制御ユニットが、逆に回転するようにモータを制御することで、展示キャビネット本体の開口が開いた状態になるように可動カバー板を戻すために、自動昇降摺動機構が逆向きに移動するように駆動される。
【００１２】
また、結合部品はＬ字型で、互いに結合された第１の結合部品と第２の結合部品とを含み、第１の結合部品は対応する固定部品の上端に配置され、第２の結合部品は可動カバー板の下端に配置される。
【００１３】
また、展示キャビネット本体は単層ガラスで作成され、可動カバー板は二層発熱線ガラスで作成され、単層ガラスおよび二層発熱線ガラスの厚さは両方とも６ｍｍ〜８ｍｍである。
【００１４】
また、第１のワインラックは貯蔵箱内に配置され、自動昇降摺動機構が第１のワインラックと積層板との間に配置され、第１のワインラックは複数の貯蔵領域を有する。
【００１５】
また、第２のワインラックは展示箱に配置され、第２のワインラックは傾斜して積層板に配置され、第２のワインラックは複数の載置位置を有する。
【００１６】
また、ワインキャビネットは外部制御装置をさらに備え、外部制御装置はリモートコントローラであり、制御機構は制御ユニットを備え、リモートコントローラは制御ユニットに無線で接続される。
【００１７】
また、ワインキャビネットは外部制御装置をさらに備え、外部制御装置はインテリジェント端末であり、制御機構は制御ユニットを備え、インテリジェント端末は制御モジュールを備え、制御モジュールは制御ユニットに無線で接続される。
【００１８】
また、主キャビネット本体の前側に左キャビネット扉および右キャビネット扉が設けられ、左キャビネット扉および右キャビネット扉の上部に互いに近接した取っ手が設けられる。
【００１９】
また、主キャビネット本体の前側に、左キャビネット扉および右キャビネット扉の下方に位置するルーバ構造が設けられる。
【００２０】
また、展示キャビネット本体の後部側壁に取付板が設けられ、取付板の上部に第１の光ストライプが設けられ、第１の光ストライプは制御機構に結合される。
【００２１】
また、第２の結合部品の下端に第２の光ストライプが設けられ、第２の光ストライプは制御機構に結合される。
【００２２】
また、可動カバー板の長さは展示キャビネット本体の長さと等しく、可動カバー板の幅は展示キャビネット本体の半分の幅である。
【考案の効果】
【００２３】
本考案によれば、展示キャビネットを配置することによって、使用者にとって大切な愛着のある装飾用のワインを展示するために使用でき、したがって複数の機能を実現し、使い勝手がよく、使用者の使用要求に合致し、かつ展示キャビネット本体が開いた状態でも場所を取ることがない。ワインキャビネットの上層のガラス展示キャビネット、およびワインを貯蔵するための下方のキャビネット本体は、本考案では、７２０ｍｌの標準的なサイズのワインボトルを展示し載置することに加えて、１．５Ｌのマグナムサイズのワインボトルを展示し載置するように設計することもできる。
【図面の簡単な説明】
【００２４】
【図１】本考案の実施形態によって提供される、ワインキャビネットの構造図である。
【図２】図１に示すワインキャビネットの上面図である。
【図３】図１に示すワインキャビネットの底面図である。
【図４】図１に示すワインキャビネットの正面断面図である。
【図５】図１に示すワインキャビネットの側断面図である。
【図６】図１に示すワインキャビネットの自動昇降摺動機構の局所図である。
【図７】可動カバー板が開かれている、図１のワインキャビネットの断面図である。
【図８】図１に示すワインキャビネットのリモートコントローラの計画図である。
【考案を実施するための形態】
【００２５】
本考案について、図面および実施形態を参照しながら以下でさらに説明する。
【００２６】
図１から図５を参照すると、本考案はワインキャビネットを提供し、これは主キャビネット本体１０と、透明な展示キャビネット本体３０と、制御機構（ここでは図示せず）と、制御機構に結合された駆動機構１００と、駆動機構１００に結合された自動昇降摺動機構８０と、外部制御装置とを備える。
【００２７】
第１のワインラックは、主キャビネット本体１０の貯蔵箱１１に配置され、第１のワインラックは、プラスチック成形によって一体的に形成される。第１のワインラックは、ワインキャビネットの高さ方向に沿って並べて配置された複数層の貯蔵領域を有し、貯蔵領域は、赤ワイン、白ワインなどのワインを載置するために使用される。好ましくは、貯蔵領域の各層は独立したレール構成部品から成る。
【００２８】
主キャビネット本体１０の前側には左キャビネット扉１３および右キャビネット扉１４が設けられ、左キャビネット扉１３および右キャビネット扉１４の上部には、左キャビネット扉１３および右キャビネット扉１４を開きやすくするために、互いに近接した取っ手１５が設けられる。
【００２９】
主キャビネット本体１０の前側には、左キャビネット扉１３および右キャビネット扉１４の下方にルーバ構造１６が設けられ、ルーバ構造１６は、ワインキャビネット内の相対湿度を５５％〜７５％に維持するように貯蔵箱１１の中に外気を取り入れるために使用される。
【００３０】
ワインキャビネットの移動を容易にするために、自在車輪１７が、主キャビネット本体１０の下端の４つの角部にそれぞれ配置される。
【００３１】
展示キャビネット本体３０は、主キャビネット本体１０の上端に配置される。展示キャビネット本体３０の展示箱３３は、積層板５０によって主キャビネット本体１０の貯蔵箱１１から分離される。
【００３２】
展示キャビネット本体３０の上端の面に開口３１が配置され、開口３１は透明な可動カバー板３２で覆われる。実施形態では、開口３１は、展示キャビネット本体３０の上端の前側に配置される。可動カバー板３２の長さは展示キャビネット本体３０の長さと等しく、可動カバー板３２の幅は展示キャビネット本体３０の半分の幅である。
【００３３】
実施形態では、展示キャビネット本体３０は単層ガラスで作成され、可動カバー板３２は二層発熱線ガラスで作成され、従来技術の枠付きの展示キャビネット本体と比較して、本考案の展示キャビネット本体３０は枠なしの新しい設計である。単層ガラスおよび二層発熱線ガラスは両方とも厚さが６ｍｍ〜８ｍｍである。展示キャビネット本体３０および可動カバー板３２の材料は、実際の条件に応じて設定できることは理解されよう。
【００３４】
第２のワインラック３４が展示箱３３内に配置され、第２のワインラック３４は積層板５０の上に傾斜して配置され、第２のワインラック３４は、使用者が大切にしている愛着のある装飾用のワインなどのワインを載置するための、ワインキャビネットの長さ方向に沿って並べて配置された複数の載置位置３４１を有する。
【００３５】
制御機構、駆動機構１００、および自動昇降摺動機構８０は、貯蔵箱１１内に配置される。制御機構は制御ユニットを備える。制御ユニットは、コンピュータチップセット８０５１、またはコンピュータチップセット８０５１と同等のコンピュータチップセットであることが好ましい。駆動機構１００はモータであることが好ましい。
【００３６】
自動昇降摺動機構８０は、第１のワインラック１２と積層板５０との間に配置される。自動昇降摺動機構８０は可動カバー板３２に結合され、自動昇降摺動機構８０は、駆動機構１００によって貯蔵箱１１内で移動するように駆動されることができ、かつ可動カバー板３２を駆動して、展示キャビネット本体３０の開口３１を開閉するように移動させることができる。このようにして、図７に示すように、展示キャビネット本体３０の開口３１が開くと、開口３１を介して展示キャビネット本体３０の展示箱３３からワインを取り出したり入れたりでき、あるいは開口３１を介して、展示キャビネット本体３０の展示箱３３が清掃される。展示キャビネット本体３０の開口３１が閉じられると、可動カバー板３２と展示キャビネット本体３０とは、一体化したキャビネット本体としてともに使用でき、かつ使用者が大切にしている愛着のあるワインなどを装飾用に展示または貯蔵するために使用でき、使用者にとって使い勝手がよい。
【００３７】
特に、図６および図７を参照すると、実施形態では、自動昇降摺動機構８０は、貯蔵箱１１の２枚の対向する内壁に取り付けられた２つの取付部品８１と、枠と、２対の駆動ギヤセットと、軸受８４と、主ギヤ８５と、２つの結合部品９０とを備える。２つの取付部品８１は、好ましくは主キャビネット本体１０の両端に配置される。
【００３８】
各取付部品８１には、上下にずらして配置された２本のＬ字型レール８１１が設けられ、２本のＬ字型レール８１１は互いに平行であって、展示キャビネット本体３０の開口３１に対応する。実施形態では、Ｌ字型レール８１１の垂直方向部分８１３は、主キャビネット本体１０の前側に近接している。
【００３９】
枠は、２つの固定部品８２１と、２つの固定部品８２１同士の間に結合された取付板８２２とを備え、駆動機構１００は、取付板８２２に配置される。
【００４０】
駆動ギヤセットの各対は、第１のギヤ８３１および第２のギヤ８３２を含み、第１のギヤ８３１および第２のギヤ８３２はベルト８３３によって駆動され、駆動ギヤセットの各対の第１のギヤ８３１および第２のギヤ８３２は１つの固定部品８２１に配置され、第１のギヤ８３１および第２のギヤ８３２は、１つの取付部品８１の２本のＬ字型レール８１１とそれぞれ噛み合い、第１のギヤ８３１および第２のギヤ８３２は、対応するＬ字型レール８１１上でそれぞれ移動することができる。駆動ギヤセットの各対の、第１のギヤ８３１の中心と第２のギヤ８３２の中心との結合線は、対応するＬ字型レール８１１に対して傾斜している。実施形態では、第１のギヤ８３１および第２のギヤ８３２はそれぞれ、対応するＬ字型レール８１１の下部にある歯８１２（図５を参照）と噛み合う。
【００４１】
軸受８４の一端は、駆動ギヤセットの一方の組の第１のギヤ８３１に固定され、他端は、他方の駆動ギヤセットの、第１のギヤ８３１に固定される。軸受８４は、取付板８２２と平行に配置される。軸受８４および取付板８２２の延伸方向は、主キャビネット本体１０の長さの延伸方向と同じである。
【００４２】
主ギヤ８５は固定的に軸受８４に通され、主ギヤ８５と駆動機構１００とは、ベルトによって駆動される。
【００４３】
２つの結合部品９０の一端は、２つの固定部品８２１の上端にそれぞれ配置され、２つの結合部品の他端は、可動カバー板３２の下端にそれぞれ配置される。
【００４４】
自動昇降摺動機構８０の作動原理は以下の通りであり、展示キャビネット本体３０の開口３１が開くと、制御ユニットは、例えば、駆動機構１００を反時計回りの方向に回転するように制御し、駆動機構１００の駆動ギヤは、主ギヤ８５を時計回りの方向に回転するように駆動し、主ギヤ８５は、軸受８４を時計回りの方向に回転するように駆動し、軸受８４は、２つの第１のギヤ８３１を時計回りの方向に回転するように駆動し、２つの第１のギヤ８３１は、２つの第２のギヤ８３２を時計回りの方向に回転するように駆動し、２つの第１のギヤ８３１および２つの第２のギヤ８３２は、回転しながらＬ字型レール８１１の垂直方向部分８１３の端位置から、Ｌ字型レール８１１の横方向部分８１４の端位置までＬ字型レール８１１に沿って移動し、移動中に２つの結合部品９０が駆動されて移動し、２つの結合部品９０によって可動カバー板３２が駆動され、上昇して展示キャビネット本体３０の上端の面に沿って開口３１から離れる方向に、すなわち展示キャビネット本体３０の後側へ移動することで、図７に示すように、可動カバー板３２は開口３１から離れて展示キャビネット本体３０の開口３１を開く。展示キャビネット本体３０の開口３１が閉じられると、制御ユニットは、例えば、駆動機構１００を時計回りの方向に回転するように制御し、駆動機構１００の駆動ギヤは、主ギヤ８５を反時計回りの方向に回転するように駆動し、主ギヤ８５は、軸受８４を反時計回りの方向に回転するように駆動し、軸受８４は、２つの第１のギヤ８３１を反時計回りの方向に回転するように駆動し、２つの第１のギヤ８３１は、２つの第２のギヤ８３２を反時計回りの方向に回転するように駆動し、２つの第１のギヤ８３１および２つの第２のギヤ８３２は、回転しながらＬ字型レール８１１の横方向部分８１４の端位置から、Ｌ字型レール８１１の垂直方向部分８１３の端位置までＬ字型レール８１１に沿って移動し、移動中に２つの結合部品９０が駆動されて移動し、２つの結合部品９０によって可動カバー板３２が駆動されて、展示キャビネット本体３０の上端の面に沿って開口３１に近接する、すなわち展示キャビネット本体３０の前側へ移動して下降することで、図５に示すように、可動カバー板３２は開口３１を覆って展示キャビネット本体３０の開口３１を閉じる。
【００４５】
実施形態では、Ｌ字型レール８１１の垂直方向部分８１３の高さは、展示キャビネット本体３０の上端の厚さよりも大きいので、可動カバー板３２が、上昇後の移動中に展示キャビネット本体３０の上端の後側に接触することはない。
【００４６】
２つの結合部品９０の移動が容易になるように、積層板５０の両側には収容空間がそれぞれ設けられ、２つの結合部品９０は収容空間にそれぞれ配置される。
【００４７】
好ましくは、結合部品９０はＬ字型で、互いに結合された第１の結合部品９１と第２の結合部品９２とを含み、第１の結合部品９１は、対応する固定部品８２１の上端に配置され、第２の結合部品９２は、可動カバー板３２の下端に配置される。
【００４８】
図４、図５、および図７に示すように、ワインキャビネットは、貯蔵箱１１の２つの対向する内壁に配置された２つのばね組立体２００をさらに備える。２つのばね組立体２００は、２つの取付部品８１のＬ字型レール８１１の、垂直方向部分８１３の下方にそれぞれ配置される。ばね組立体２００は、貯蔵箱１１の対応する内壁に取り付けられた支持板２０１と、支持板２０１に取り付けられた支柱２０２と、支柱２０２に取り付けられた取付枠部品２０３と、支柱２０２において支持板２０１から離れた端部に回転可能に取り付けられた支持部品２０４と、弾性部品２０５とを備える。弾性部品２０５の一端は支持部品２０４の一端に結合され、弾性部品の他端は取付枠部品２０３に結合され、支持部品２０４は、支柱２０２と、貯蔵箱１１の対応する内壁との間に配置される。載置部品（図示せず）は、支持部品２０４の回転位置を制限するために、支持部品２０４の下方の、支柱２０２の位置に配置される。固定部品８２１において主キャビネット本体１０の前側に近接している側壁は傾斜壁であり、第１のギヤ８３１および第２のギヤ８３２が、対応するＬ字型レール８１１の横方向部分８１４の端位置から、対応するＬ字型レール８１１の垂直方向部分８１３の端位置へそれぞれ移動されると、支持部品２０４は固定部品８２１に押圧されて、支柱２０２に対して、主キャビネット本体１０の後側に向かって回転され、固定部品８２１の傾斜した側壁は、対応する支持部品２０４（図５を参照）に載置され、支持部品２０４は、支持部品２０４がさらに回転するのを防ぐために、対応する載置部品に当接する。弾性部品２０５、支持部品２０４、および載置部品を配置することによって自動昇降摺動機構８０を支持でき、弾性部品２０５は、モータの圧力誘導および応力度を低減する緩衝の役割も果たすことができる。
【００４９】
好ましくは、弾性部品２０５は引張ばねである。固定部品８２１の傾斜した側壁が対応する支持部品２０４に載置されていないときは、図７に示すように、支持部品２０４は引張ばねの効果で傾斜され、固定部品８２１の傾斜した側壁が対応する支持部品２０４に載置されているときは、支持部品２０４は、固定部品８２１に押圧されて、支柱２０２に対して、主キャビネット本体１０の後側に向かって回転され、引張ばねが図５に示すように伸長した状態になり、支持部品２０４が固定部品８２１によって押圧されないときは、支持部品２０４は、図７に示すように、引張ばねの効果で初期の状態に戻ることができる。
【００５０】
実施形態では、制御機構は、制御ユニットに結合された検知ユニットを備える。検知ユニットは、モータのトルクを検知してトルクを制御ユニットに出力するために使用され、可動カバー板３２が障害物に接触すると、モータはねじれ効果を受ける可能性がある。制御ユニットは、受けたモータのトルクを事前設定したトルクと比較するために使用され、展示キャビネット本体３０の開口３１を開くように可動カバー板３２が移動されるときに、モータのトルクが事前設定したトルクを上回る場合、すなわち可動カバー板３２が障害物に接触している場合は、制御ユニットは回転を停止するようにモータを制御することで、自動昇降摺動機構８０は、可動カバー板３２の移動を駆動することを停止し、可動カバー板３２が展示キャビネット本体３０の開口３１に近づく方向に移動されるときに、モータのトルクが事前設定したトルクを上回っている、すなわち可動カバー板３２が障害物に接触している場合は、制御ユニットが、逆に回転するようにモータを制御することで、展示キャビネット本体３０の開口３１が開かれた状態になるように可動カバー板３２を戻すために、自動昇降摺動機構８０は逆向きに移動するよう駆動される。この構造では、可動カバー板３２が展示キャビネット本体３０の開口３１を開くように移動されるときに可動カバー板３２が障害物に接触している場合は、自動昇降摺動機構８０の効果で可動カバー板３２が移動を停止し、可動カバー板３２が展示キャビネット本体３０の開口３１を閉じるように移動されるときに可動カバー板３２が障害物に接触している場合は、可動カバー板３２は自動昇降摺動機構８０の効果で、すなわち自動的にはね返って展示キャビネット本体３０の開口３１が開かれた状態に戻ることができるので、可動カバー板３２は障害物から離れ、偶発事故の発生を抑制できると同時に可動カバー板３２が保護される。
【００５１】
また、展示キャビネット本体３０の後部側壁には取付板３５が設けられ、取付板３５の上部には第１の光ストライプ３５１が設けられる。結合部品９０の第２の結合部９２の下端には、第２の光ストライプ９２１が設けられる。第１の光ストライプ３５１および第２の光ストライプ９２１は、制御機構にそれぞれ結合される。第１の光ストライプ３５１および第２の光ストライプ９２１の配置には装飾的な役割があり、見た目の美しさが加わる。
【００５２】
本考案の外部制御装置は、図８に示すようなリモートコントローラ２００であり、リモートコントローラ２００は、制御ユニットに無線で接続される。リモートコントローラ２００は、制御ユニットに制御信号を送信するために使用され、制御ユニットは、制御信号を受信してモータの回転を制御するために使用される。リモートコントローラ２００は、開キー２０１、閉キー２０２、ロックキー２０３、ライトキー２０４などのいくつかのキーを有する。
【００５３】
代替的な解決策では、外部制御装置はインテリジェント端末であり、インテリジェント端末は制御モジュールを備え、制御モジュールは制御ユニットに無線で接続される。制御モジュールは、制御ユニットに制御信号を送信するように構成される。実際の用途では、制御モジュールはインテリジェント端末と一体化されたＡＰＰモジュールであり、操作するのに都合がよい。インテリジェント端末は携帯電話、タブレット型パソコンなどである。
【００５４】
前述した実施形態は単に本考案の好ましい実施形態であって、具体的かつ詳細に説明されているが、実施形態は本考案の範囲を制限するものとして理解されるべきではない。当業者であれば、本考案の概念から逸脱することなく各実施形態の異なる特徴を組み合わせるなど多くの変形および改善を行えるものとし、変形および改善はすべて本考案の保護の範囲内に含まれるものとする。
【符号の説明】
【００５５】
１０  主キャビネット本体
１１  貯蔵箱
１２  第１のワインラック
１３  左キャビネット扉
１４  右キャビネット扉
１５  取っ手
１６  ルーバ構造
１７  自在車輪
３０  展示キャビネット本体
３１  開口
３２  可動カバー板
３３  展示箱
３４  第２のワインラック
３５  取付板
５０  積層板
８０  自動昇降摺動機構
８１  取付部品
８４  軸受
８５  主ギヤ
９０  結合部品
９１  第１の結合部品
９２  第２の結合部品
１００  駆動機構
２００  ばね組立体
２００  リモートコントローラ
２０１  支持板
２０１  開キー
２０２  支柱
２０２  閉キー
２０３  ロックキー
２０３  取付枠部品
２０４  ライトキー
２０４  支持部品
２０５  弾性部品
３４１  載置位置
３５１  第１の光ストライプ
８１１  Ｌ字型レール
８１２  歯
８１３  垂直方向部分
８１４  横方向部分
８２１  固定部品
８２２  取付板
８３１  第１のギヤ
８３２  第２のギヤ
８３３  ベルト
９２１  第２の光ストライプ
【図１】
0003226592.tif 000003
【図２】
0003226592.tif 000004
【図３】
0003226592.tif 000005
【図４】
0003226592.tif 000006
【図５】
0003226592.tif 000007
【図６】
0003226592.tif 000008
【図７】
0003226592.tif 000009
【図８】
0003226592.tif 000010